(57)【要約】【目的】取り外しが容易であるが、取り付けた状態では容易に脱落しないようなボタンを提供する。【構成】衣服に固着する脚部（２５）と、この脚部に対して着脱可能な本体（１０）からなるボタンである。前記本体（１０）は表面部（１１）と裏蓋部（１２）からなる。前記裏蓋部（１２）は、開閉可能な収容部（２０）を有する。前記脚部（２５）は前記収容部（２０）に着脱可能な係合部（２８）を有する。裏蓋部（１２）は１枚の金属板から制作し、開閉可能な収容部（２０）を、この金属板の切り込み加工及びプレス加工によって形成することができるが、全体を合成樹脂で一体成型してもよい。【選択図】　図２
2004024334.tif 000002
【特許請求の範囲】
【請求項１】
衣服に固着する脚部（２５）と、この脚部に対して着脱可能な本体（１０）からなるボタンであって、
前記本体（１０）は表面部（１１）と裏蓋部（１２）からなり、
前記裏蓋部（１２）は、開閉可能な収容部（２０）を有し、
前記脚部（２５）は前記収容部（２０）に着脱可能な係合部（２８）を有することを特徴とする着脱自在なボタン。
【請求項２】
裏蓋部（１２）が１枚の金属板であり、開閉可能な収容部（２０）が、この金属板の切り込み加工及びプレス加工によって形成された擬似円筒である請求項１記載のボタン。
【請求項３】
前記切り抜き加工が、幅付きの「コ」又は「Ｃ」の字型に行われていて、それにより切抜き板（１６）とその内側に位置する内板（１５）が形成されており、
前記プレス加工により、これら内板（１５）と切抜き板（１６）にそれぞれ湾曲部（１７，１８）が設けられており、
前記湾曲部（１７，１８）同士により前記擬似円筒（２０）が形成されている請求項１記載のボタン。
【請求項４】
開閉可能な収容部（２０）を含む裏蓋部（１２）全体が合成樹脂で一体成形されている請求項１記載のボタン。
【発明の詳細な説明】
【０００１】
【発明の属する技術分野】
本発明は着脱自在なボタンに関する。
【０００２】
【従来の技術】
材質や構造上の理由で、衣服と共に洗濯したりアイロンがけしたりするのが不適当なボタンがある。そのようなボタンは洗濯やアイロンがけの前に予め全体を外し、その後再び全体を糸で取り付けるという作業が必要となる。
【０００３】
また、従来のボタンは市販時に衣服に固着されているので、衣服は気に入っているがボタンのみに不満があるときやその固有のボタンに飽きたときなどにもやはり全体を外し、その後別のボタンを糸で取り付けるという作業が必要となる。
【０００４】
そのようなボタンの取外しや縫い糸による再取付け作業は、特にボタンの数の多いときには面倒で時間のかかるものとなる。
【０００５】
【発明が解決しようとする課題】
本発明は、上記問題を解決するために行われたもので、着脱が容易であるが、取り付けた状態では容易に脱落しないようなボタンを提供することを目的とする。
【０００６】
【課題を解決するための手段】
本発明は、衣服に固着する脚部と、この脚部に着脱可能な本体からなるボタンであって、前記本体は表面部と裏蓋部からなり、前記裏蓋部は、開閉可能な収容部を有し、前記脚部は前記収容部に着脱可能な係合部を有することを特徴とする。
【０００７】
【発明の実施の態様】
表面部は、本発明とは直接関係がないので、どのような形状・色彩であってもよく、また、どのような模様が施されていてもよい。裏蓋部は１枚の金属板から形成するのが好ましい。
【０００８】
開閉可能な収容部は、この金属板の切り込み加工及びプレス加工によって形成された擬似円筒とするのが好ましい。前記切り抜き加工は、例えば、幅付きの「コ」又は「Ｃ」の字型に行なう。その結果、切抜き板とその内側に位置する内板が形成される。また、前記プレス加工により、これら内板と切抜き板にそれぞれ湾曲部を設けるのが好ましい。これら湾曲部により前記擬似円筒を形成することができる。「擬似円筒」というのは、開口部や途中の破断により完全円筒とはならないからである。
【０００９】
別の態様として、開閉可能な収容部を含め裏蓋部全体を合成樹脂で一体成形することも可能である。
【００１０】
【実施例】
以下、添付の図面に基づき、本発明の実施例を説明する。
【００１１】
図１に示すように、本発明のボタンは本体１０と脚部２５とが分離可能である。（ａ）が使用状態、（ｂ）が本体取り外し状態である。洗濯やアイロンがけの前には予め本体１０を取り除くことができる。（ｂ）に示すように、本体１０を取り除いても、脚部２５は衣服３０に糸３１で固着されたままである。
【００１２】
本体１０は、図４に示すように、表面部１１と裏蓋部１２からなり、両者が接合されている。この実施例では、表面部１１と裏蓋部１２の中間は中空状態であるが、詰め物がしてあってもよい。
【００１３】
表面部１１は、この実施例では丸皿を伏せたような形状である。しかし、この部分は本発明とは直接関係がないので、どのような形状・色彩であってもよく、また、どのような模様が施されていてもよい。
【００１４】
裏蓋部１２は脚部２５との着脱を可能とする機構を有し、ここが本発明の一特徴となっている。
【００１５】
図２は、裏蓋部１２及び脚部２５の透視斜視図である。図３（ａ）は裏蓋部１２の平面図、（ｂ）は同底面図、（ｃ）は同断面図である。
【００１６】
裏蓋部１２は、図３（ａ）−（ｃ）に示すように、１枚の金属円板から切り抜き加工とプレス加工により、脚部２５との着脱機構を形成している。
【００１７】
切り抜きは、「コ」の字型に行われていて、内側の「コ」１３と外側の「コ」１４との間は幅がある。「コ」の起点側は円板の中心付近に位置しており、「コ」の内外の線に沿って完全に切り抜かれている。その結果、内側に位置する「コ」の字型の内板１５と、その外側に位置する幅付き「コ」の字型の切抜き板１６が形成される。内板１５の起点側には下方に向かって湾曲する湾曲部１７が設けられている。一方、切抜き板１６には、起点側において上方に向かって湾曲する湾曲部１８が設けられており、先端側にも上方に向かう反り板部１９が設けられている。内板の上向き湾曲部１７と切り抜き板の下向き湾曲部１８により、擬似円筒２０が形成される。１枚の金属板から反り板部１９や各湾曲部１７，１８を形成しているので、内板１５と切り抜き板１６の間には当然隙間２１が生じている。
【００１８】
裏蓋部１２は、通常、内板１５が下で、切り抜き板１６が上になるように、ボタン表面部に取り付けられる（図２，４参照）。しかし、内板１５を上にして、切り抜き板１６を下にしても使用可能である。
【００１９】
脚部２５は図１（ｂ）に示すように、糸の縫い付け部となる基部２６と、そこから立ち上がる起立部２７と、水平な頂部２８とが形成されている。
【００２０】
裏蓋部１２と脚部２５とは、脚部の頂部２８を擬似円筒２０に差し込むことによって結合される（図２，４参照）。頂部２８を差し込むには、隙間２１を通じて、又は反り板部１９に沿って指で内側に押し込むことにより行われる。内板１５と切り抜き板１６にはバネ作用があるので、押し込むときには抵抗があるが、いったん入った後は自然に抜け落ちるようなことはない。
【００２１】
裏蓋部１２と脚部２５の結合を解除するには差し込みとは反対の方向に引っ張るだけでよい。
【００２２】
【発明の効果】
本発明によれば、ボタン本体１０の着脱が容易である。そのため、洗濯やアイロンがけの前に本体１０だけを予め外すのが容易である。また、種々の理由により、ボタンの表面柄を変更したいと思ったときでも、容易に本体１０だけを変更することができる。
【図面の簡単な説明】
【図１】（ａ）は使用時の本発明ボタンの斜視図、（ｂ）は本体１０取り外し時の本発明ボタンの斜視図である。
【図２】裏蓋部１２及び脚部２５の透視斜視図である。
【図３】（ａ）は裏蓋部１２の平面図、（ｂ）は同底面図、（ｃ）は断面図である。
【図４】本発明のボタンの、取付状態を示す縦断面図である。
【符号の説明】
１０　　　　　ボタン本体
１１　　　　　表面部
１２　　　　　裏蓋部
１５　　　　　内板
１６　　　　　切り抜き板
１７　　　　　湾曲部
１８　　　　　湾曲部
１９　　　　　反り板部
２０　　　　　擬似円筒
２１　　　　　隙間
２５　　　　　脚部
２８　　　　　頂部（係合部）
３０　　　　　衣服
３１　　　　　糸
【図１】
2004024334.tif 000003
【図２】
2004024334.tif 000004
【図３】
2004024334.tif 000005
【図４】
2004024334.tif 000006